(57)【特許請求の範囲】
【請求項１】
上端に笠木を備えた自立型の間仕切パネルであって、前記笠木は下面の表裏両側部に水平な載置面を形成するとともに、垂直な表裏両側面の下縁部から前記載置面の側縁部にかけて底目地用の凹段部を形成し、前記笠木の側面に対して前記凹段部の上面を直角に設定するとともに、該凹段部の内奥面を下内方へ４５度以下の角度で傾斜した傾斜面となしたことを特徴とする間仕切パネルの笠木装置。
【請求項２】
両側の支柱の少なくとも上端部間に上横桟を連結して構成したフレームの表裏両側にパネル板を着脱可能に取付けるとともに、前記上横桟の上面より両パネル板の上面を高く設定し、前記笠木の両載置面を両パネル板の上面に載置した状態で、前記笠木を前記上横桟にネジ止めにて締付けて載置面をパネル板の上面に圧接してなり、前記笠木の凹段部とパネル板の上面とで底目地を形成してなる請求項１記載の間仕切パネルの笠木装置。
【請求項３】
両側の支柱の上部間に上枠杆を連結し、両支柱と上枠杆にガラス板を保持するとともに、前記笠木の両載置面に前記上枠杆の上面を接合した状態で、前記上枠杆を前記笠木にネジ止めにて締付けて上枠杆の上面に載置面を圧接してなり、前記上枠杆の上面と前記パネル板の上面を同一平面に設定してなる請求項１記載の間仕切パネルの笠木装置。
【発明の詳細な説明】
【技術分野】
【０００１】
本発明は、間仕切パネルの笠木装置に係わり、更に詳しくは上端に笠木を備えた自立型の間仕切パネルの笠木装置に関するものである。
【背景技術】
【０００２】
従来、自立型の間仕切パネルにおいて、パネル最上部に笠木を取付け、外観性の向上と自立強度の確保を図っていたが、笠木とパネル板の上端とを無目地で突き合わせると、パネル板の反りや上端面の凹凸により隙間に広狭が生じ、その部分で部分的に幅の異なる陰が生じて外観性を損なうことになる。
【０００３】
これを解消するために、特許文献１の図８に示すように、笠木下部に底目地となる凹段部を設け、パネル板の凹凸に起因する隙間の広狭による陰の影響を目立たなくする工夫をしていたが、笠木の下部角のシャープさを出すことと底目地としてのくっきりした陰を出すことを両立させることができなかった。その原因は、笠木の底目地となる凹段部の側面で、光が反射して明るく見え、表面との明度においてコントラストが小さくなる結果、底目地の陰影がぼやけるためである。
【０００４】
そこで、笠木の底目地をくっきりと際立たせるには、底目地の深さを深くする必要があるが、笠木をパネル板の上端に接合して取付けるために、重ねしろを確保する必要があることから、底目地を深くすることにも限界があった。
【０００５】
尚、笠木の取付構造については、特許文献１には、表裏のパネル板（化粧板）の上端部間に形成された横長溝の内壁上縁に係合段部（先端縁）を形成し、該係合段部に笠木の下部に設けた両係止部を係合するとともに、底目地用の凹段部より内側部分をパネル板の上面に載置する構造が開示されている。この笠木の取付構造では、笠木をパネル板に強固に引き付ける力は生じないため、前述のようにパネル板の反りや上端面の凹凸により笠木との間の隙間に広狭が生じるのである。
【特許文献１】特開平１０−２１９８９０号公報（図８）
【発明の開示】
【発明が解決しようとする課題】
【０００６】
そこで、本発明が前述の状況に鑑み、解決しようとするところは、上端に笠木を備えた自立型の間仕切パネルにおいて、多少のパネル板の反りや上端に凹凸があっても、笠木の下部角にシャープさを出すことができるとともに、笠木の底目地をくっきりと際立たせることが可能な間仕切パネルの笠木装置を提供する点にある。
【課題を解決するための手段】
【０００７】
本発明は、前述の課題解決のために、上端に笠木を備えた自立型の間仕切パネルであって、前記笠木は下面の表裏両側部に水平な載置面を形成するとともに、垂直な表裏両側面の下縁部から前記載置面の側縁部にかけて底目地用の凹段部を形成し、前記笠木の側面に対して前記凹段部の上面を直角に設定するとともに、該凹段部の内奥面を下内方へ４５度以下の角度で傾斜した傾斜面となしたことを特徴とする間仕切パネルの笠木装置を構成した（請求項１）。
【０００８】
そして、両側の支柱の少なくとも上端部間に上横桟を連結して構成したフレームの表裏両側にパネル板を着脱可能に取付けるとともに、前記上横桟の上面より両パネル板の上面を高く設定し、前記笠木の両載置面を両パネル板の上面に載置した状態で、前記笠木を前記上横桟にネジ止めにて締付けて載置面をパネル板の上面に圧接してなり、前記笠木の凹段部とパネル板の上面とで底目地を形成してなるのである（請求項２）。
【０００９】
また、両側の支柱の上部間に上枠杆を連結し、両支柱と上枠杆にガラス板を保持するとともに、前記笠木の両載置面に前記上枠杆の上面を接合した状態で、前記上枠杆を前記笠木にネジ止めにて締付けて上枠杆の上面に載置面を圧接してなり、前記上枠杆の上面と前記パネル板の上面を同一平面に設定してなるのである(請求項３)。
【発明の効果】
【００１０】
以上にしてなる請求項１に係る発明の間仕切パネルの笠木装置は、笠木の垂直な表裏両側面の下縁部から載置面の側縁部にかけて底目地用の凹段部を形成し、該凹段部の内奥面を下内方へ傾斜した傾斜面となしたことにより、凹段部内に入った外光や照明からの光が傾斜面に反射されて内奥端に案内されるので、凹段部内から出てくる光量が極端に少なくなり、それにより凹段部とパネル板の上面とで形成される笠木の底目地が暗くなり、笠木の側面及びパネル板の表面との明暗のコントラストが際立つようになり、はっきりと底目地を視覚することができるのである。また、笠木の側面に対して前記凹段部の上面を直角に設定することにより、笠木の見え掛かり面をシャープに見せることができ、また凹段部の傾斜面の角度を４５度以下に設定することにより、光を確実に内奥端に導くことができ、底目地の陰影をより鮮明にすることができるのである。また、多少のパネル板の反りや上端に凹凸があっても、笠木の下部角にシャープさを出すことができるのである。また、表裏両側のパネル板の上面に笠木を載置できるように両載置面を形成し、凹段部の奥行深さが浅くなっても底目地の陰影を鮮明にすることができるのである。
【００１１】
請求項２によれば、笠木の両載置面を両パネル板の上面に載置した状態で、前記笠木を前記上横桟にネジ止めにて締付けて載置面をパネル板の上面に圧接して取付けることにより、多少のパネル板の反りや上端に凹凸があっても、笠木の凹段部とパネル板の上面とで開成される底目地の上下幅を一定にすることができ、外観性の向上が図れるのである。
【００１２】
請求項３によれば、支柱の左右一側にパネル板を装着するとともに、左右他側にガラス板を保持する構成において、両側の支柱の上部間に連結した上枠杆の上面に笠木の両載置面を接合した状態で、前記上枠杆を前記笠木にネジ止めにて締付けて上枠杆の上面に載置面を圧接することにより、ガラス板を保持する前記上枠杆の上面と前記パネル板の上面を同一平面に設定することができ、それにより笠木の底目地線が全長にわたって連続するのである。
【発明を実施するための最良の形態】
【００１３】
次に、添付図面に示した実施形態に基づき、本発明を更に詳細に説明する。図１は本発明に係る笠木装置を適用した間仕切パネルを示し、図２〜図１０はその詳細を示し、図中符号１はパネル板、２はガラス板、３は笠木、４は支柱、５は上横桟、６は上枠杆、７は底目地をそれぞれ示している。
【００１４】
本実施形態における間仕切パネルは、パネル板１や適宜ガラス板２を備え、その上端に笠木３を備えたものであり、該笠木３と天井との間に空間を有するものであり、自立型のものである。本発明では、パネル板１やガラス板２の保持構造には特に限定されないが、地レール若しくは巾木８に立設した支柱４，４の上端部間に上横桟５を、正面視Ｌ字状の連結金具９で渡設してフレームを構成し、該フレームの表裏両側に支柱４に係止具１０，…を用いてパネル板１，１を着脱可能に取付けている。ここで、前記支柱４の下端にはアジャスターを設け、該アジャスターを巾木８内に立設する。また、前記支柱４，４の下端部間に前記上横桟５と同様に下横桟（図示せず）を渡設して、四角形のフレームを構成することも可能である。この場合には、フレームの下端部に巾木を設けることになる。また、前記支柱４の上下端に上枠杆６と下枠杆１１を連結し、支柱４と上枠杆６と下枠杆１１とにパッキン１２を介して前記ガラス板２を保持している。そして、前記上横桟５、あるいは上横桟５と上枠杆６の上方に笠木３を渡して取付けている。
【００１５】
更に詳しくは、前記笠木３は、図３及び図６に示すように、笠木本体１３とカバー１４とからなり、アルミ押出し型材からなる笠木本体１３には下面の表裏両側部に水平な載置面１５，１５を形成するとともに、垂直な表裏両側面１６の下縁部から前記載置面１５の側縁部にかけて底目地用の凹段部１７を形成し、該凹段部１７の内奥面を下内方へ傾斜した傾斜面１８となしたものである。また、前記笠木本体１３の上面側には、長手方向に沿って中央部にチャンネル状の凹溝部１９を形成し、該凹溝部１９の両溝縁に形成した係合縁２０，２０に、前記カバー１４の両側脚片２１，２１を係脱可能に嵌合している。
【００１６】
また、前記笠木本体１３の底面板であって、前記両載置面１５，１５より内側で、各載置面１５に沿って上方へ段状に退避した取付台２２，２２を形成するとともに、両取付台２２，２２の中間に下面が前記載置面１５と略面一の受台２３を形成し、更に前記取付台２２，２２の外側縁に凹溝部１９内に向けて突条２４，２４を形成している。
【００１７】
前記支柱４は、図２及び図４に示すように、アルミ押出し型材からなり、外形輪郭が長方形の中空杆体で、パネル面方向と直交する長辺側の両側面２５，２５の中央部に全長にわたって凹溝２６，２６を形成し、前後面２７，２８に前記パネル板１の側部背面を係止する係止具１０を係着する係止孔（図示せず）を少なくとも上下部に形成している。
【００１８】
前記上横桟５は、図２及び図３に示すように、下方へ開放した断面略Ｃ字形のチャンネル部材であり、前記連結金具９の水平な断面倒コ字形の受板部２９に端部を載置して、下方からネジ止めし、前記連結金具９の垂直な固定板３０を前記支柱４の側面２５の上端部にネジ止めしている。そして、前記支柱４，４の表裏両面側にパネル板１，１を取付けた状態で、前記上横桟５の上面５Ａより両パネル板１，１の上面１Ａを高く設定し、前記笠木３の両載置面１５，１５を両パネル板１，１の上面１Ａ，１Ａに載置した状態で、前記取付台２２，２２を上方から貫通したネジ３１，…を上横桟５の上面５Ａに螺合して締付けて、前記笠木３の載置面１５，１５をパネル板１の上面１Ａに圧接する。この状態で、図３に示すように、前記笠木３の凹段部１７と前記パネル板１の上面１Ａとで底目地７を形成するのである。
【００１９】
ここで、図７に示すように、前記笠木３の側面１６に対して前記凹段部１７の上面３２を直角に設定するとともに、前記凹段部１７の傾斜面１８の角度を４５度以下に設定している。このように、前記パネル板１の上面１Ａと傾斜面１８とのなす角度が小さくなるように前記凹段部１７の形状を設定することにより、該凹段部１７で形成される底目地７に側方から外光や照明からの光が入射すると、前記凹段部１７の上面３２又は前記パネル板１の上面１Ａで反射された後に、あるいは直接に前記傾斜面１８で反射されてより内奥部に導かれ、多重反射を繰り返して最終的に傾斜面１８とパネル板１の上面１Ａとの交差縁に集束し、その光の殆どが底目地７の奥端で熱となって消費される。この結果、前記底目地７に側方から外光や照明からの光が入射しても、その光量の殆どが底目地７から出射しないので、該底目地７が暗く見える。従って、前記笠木３の側面１６及び前記パネル板１の表面１Ｂとの明暗のコントラストが際立つようになり、はっきりと底目地７を視覚することができるのである。
【００２０】
前記上枠杆６は、図５に示すように、アルミ押出し型材からなる枠本体３２と押え枠３３とからなり、前記枠本体３２には、上面板３４の一側縁から垂下した後、中央部側へ湾曲して延びた保持片３５を有し、前記押え枠３３には、前記枠本体３２の他側縁部に設けた嵌合部３６に嵌合して締結ネジ３７にて引き付け連結する連結部３８と、該連結部３８の下縁から中央部側へ湾曲して延びた保持片３９を有している。
【００２１】
そして、前述のパネル板１を設けた部分に直線的に連続してガラス板２を保持するには、先ず、図２に示すように、前記支柱４の上端部の側面２５に前記上枠杆６を突き当て、該上枠杆６の端部に連結した正面視倒Ｌ字状の連結金具４０を支柱４の凹溝２６内に連結する。具体的には、前記連結金具４０は、前記凹溝２６の幅より若干狭い幅を有するＬ金具であり、一方の水平片４１を前記枠本体３２の上面板３４の下面中央に当接し、該上面板３４を上方から貫通したネジ４２で螺着し、他方の垂直片４３を前記支柱４の凹溝２６の底面部にネジ４４で螺着する。
【００２２】
それから、両側の支柱４，４の上部間に連結した上枠杆６の上面に、前記笠木３の両載置面１５，１５を接合した状態で、前記連結金具４０の水平片４１及び上面板３４を下方から貫通したネジ４５あるいは直接前記上面板３４を下方から貫通したネジ４５を前記笠木３の受台２３に螺合することにより締付けて上枠杆６の上面に載置面１５，１５を圧接する。この状態で、前記上枠杆６の上面と前記パネル板１の上面１Ａを同一平面に設定したことにより、笠木３の底目地線が全長にわたって連続するのである。尚、前記下枠杆１１は前記上枠杆６を上下反転させたものであり、床面Ｆにアンカーボルトによって固定する。
【００２３】
このように連結した支柱４と上枠杆６及び下枠杆１１で囲まれた空間にガラス板２を保持するのであるが、それには前記上枠杆６の押え枠３３を外した状態で、ガラス板の両側縁部と下縁部を支柱４の凹溝２６及び下枠杆１１の保持片間に位置させ、それぞれパッキン１２，…で弾性支持し、それから前記押え枠３３を枠本体３２に取付けて両保持片３５，３９間にパッキン１２を介してガラス板２の上縁部を保持するのである。
【００２４】
前記笠木３は、パネル板１を設けた通常のパネル構造部からガラス板２を設けたガラスパネル構造部まで連続して延びているので、補強の役目も果たすのである。また、前記笠木３のカバー１４を外せば、笠木本体１３の凹溝部１９が露出するので、前記上横桟５に笠木３をネジ３１によって容易に締付けることができるとともに、凹溝部１９にコード類を配線する作業も容易である。ここで、前記カバー１４は、その両側脚片２１，２１を笠木本体１３の凹溝部１９の両溝縁に形成した係合縁２０，２０に上方から押圧することによって係合させるが、前述のようにネジ止め作業や配線作業の際にはカバー１４を笠木本体１３から外す必要性がある。そこで、図６に示すように、前記カバー１４の側縁と凹溝部１９の溝縁との間にドライバー等の工具を挿入してこじ開けるための隙間４６を形成している。尚、笠木３の全長にわたって係合縁２０と脚片２１が強く係合すると、カバー１４の係脱作業が難しくなるので、前記係合縁２０を長手方向に間欠的に設けることも好ましい。
【００２５】
以上の実施形態は、パネル板１を設けた通常のパネル構造部とガラス板２を設けたガラスパネル構造部を直線状に連続させたものであるが、図８に示すように、パネル板１を設けた通常のパネル構造部からガラス板２を設けたガラスパネル構造部を直角に連続させることができる。それには、前記支柱４の代わりに縦枠杆４７を用い、該縦枠杆４７の表裏両側に前記パネル板１，１を係止具１０，…を用いて係着し、断面正方形のコーナー支柱４８の一側面に前記縦枠杆４７をネジ止めするとともに、該コーナー支柱４８の他の側面に形成した凹溝４９に前記同様にガラス板２の側縁部をパッキン１２にて保持する。
【００２６】
次に、前記笠木３を連結する構造を図９〜図１４に基づいて説明する。先ず、２本の笠木３，３を直線状に連結するには、図９及び図１０に示すように、直角に切断した笠木本体１３，１３の端面同士を突き合わせた状態で、その接合部を越えて前記笠木本体１３の凹溝部１９内に直線状連結板５０を配し、前記両突条２４，２４間に嵌合し、上方から連結ネジ５１，…を通して前記笠木本体１３の両取付台２２，２２に螺合する。ここで、前記連結ネジ５１は、笠木本体１３の下面から突出しないようにすることにより、下方に前記上横桟５又は上枠杆６のどちらがあっても適用できるようになっている。また、前記直線状連結板４０には、前記ガラス板２を保持するための上枠杆６と笠木３とを連結するネジ４５の先端部を逃すためのスリット孔５２を所定位置に設けている。図９は、図２及び図４に示したようなパネル板１とガラス板２の連設部分で笠木３，３を連結する例を示している。
【００２７】
また、図１１は、２本の笠木３，３をＬ字状に連結する例を示し、図８に示した連結部に適用するものである。尚、パネル板１を有するパネル構造部同士をＬ字状に連結する場合にも同様に適用することが可能なものである。つまり、端部を４５度の角度で切断した２本の笠木本体１３，１３の端部同士を突き合わせてＬ字状に配した状態で、Ｌ字状連結板５３を凹溝部１９内の両突条２４，２４間に嵌合し、前記同様に連結ネジ５１，…で締結する。このＬ字状連結板５３にも前記同様にスリット孔５２を所定位置に設けている。
【００２８】
また、図１２は、笠木３の側面に直角に他の笠木３をＴ字状に連結する例を示している。この場合、連結される笠木本体１３の一方の側面１６の一部に切欠部５４を形成し、該切欠部５４に対応する位置に他の笠木本体１３の端部をＴ字状に突き合わせ、両笠木本体１３，１３の凹溝部１９，１９にＴ字状連結板５５を前記同様に嵌合し、それぞれに連結ネジ５１，…で締結する。このＴ字状連結板５５にも前記同様にスリット孔５２を所定位置に設けている。尚、図１２に示した例は、パネル構造部の側面に、直角にガラスパネル構造部を直角に連設したものである。
【００２９】
そして、図１３は、笠木３の両側面に直角に他の笠木３，３を十字状に連結する例を示している。基本的には、Ｔ字状連結と同様であり、連結される笠木本体１３の対向する両両方の側面１６，１６の一部に切欠部５４，５４を形成し、それぞれ他の笠木本体１３，１３の端面を突き合わせ、凹溝部１９，…内に十字状連結板５６を前記同様に嵌合し、それぞれに連結ネジ５１，…で締結する。この十字状連結板５６にも前記同様にスリット孔５２を所定位置に設けている。
【００３０】
このように、前記笠木３を直線状、Ｌ字状、Ｔ字状、十字状に連結するが、連結態様に応じて笠木３の端面を切断する必要がある。図１４（ａ）に示すような１１種類の笠木３を用意しておけば、十字状連結と特殊な連結を除く殆どの場合の連結に対応できるのである。また、図１４（ｂ）のような７種類の笠木３を追加的に用意しておけば、全ての連結に対応できる。
【図面の簡単な説明】
【００３１】
【図１】本発明に係る笠木装置を適用した間仕切パネルの実施形態を示す簡略正面図である。
【図２】パネル構造部とガラスパネル構造部の連設部を示す省略部分正面図である。
【図３】パネル構造部における笠木の取付構造を示す要部の縦断面図である。
【図４】パネル構造部とガラスパネル構造部の連結部を示す要部の横断面図である。
【図５】ガラスパネル構造部における笠木の取付構造を示す要部の縦断面図である。
【図６】笠木本体とカバーとからなる笠木を示し、（ａ）は分解斜視図、（ｂ）は笠木本体にカバーを係合した状態の断面図、（ｃ）は笠木本体からカバーを外す途中の状態の断面図である。
【図７】本発明に係る笠木装置の要部の拡大断面図である。
【図８】パネル構造部とガラスパネル構造部をＬ字状に連結した連結部を示す横断面図である。
【図９】笠木の直線状連結部を示す部分平面図である。
【図１０】同じく部分縦断面図である。
【図１１】笠木のＬ字状連結部を示す部分平面図である。
【図１２】笠木のＴ字状連結部を示す部分平面図である。
【図１３】笠木の十字状連結部を示す部分平面図である。
【図１４】笠木の態様を示し、（ａ）は基本的な１１種類の笠木の簡略平面図、（ｂ）は追加的な７種類の笠木の簡略平面図である。
【符号の説明】
【００３２】
１  パネル板            １Ａ  上面
１Ｂ  表面              ２  ガラス板
３  笠木                ４  支柱
５  上横桟              ５Ａ  上面
６  上枠杆              ７  底目地
８  巾木                ９  連結金具
１０  係止具            １１  下枠杆
１２  パッキン          １３  笠木本体
１４  カバー            １５  載置面
１６  側面              １７  凹段部
１８  傾斜面            １９  凹溝部
２０  係合縁            ２１  脚片
２２  取付台            ２３  受台
２４  突条              ２５  側面
２６  凹溝              ２７  前面
２８  後面              ２９  受板部
３０  固定板            ３１  ネジ
３２  上面              ３２  枠本体
３３  押え枠            ３４  上面板
３５  保持片            ３６  嵌合部
３７  締結ネジ          ３８  連結部
３９  保持片            ４０  連結金具
４１  水平片            ４２  ネジ
４３  垂直片            ４４  ネジ
４５  ネジ              ４６  隙間
４７  縦枠杆            ４８  コーナー支柱
４９  凹溝              ５０  直線状連結板
５１  連結ネジ          ５２  スリット孔
５３  Ｌ字状連結板      ５４  切欠部
５５  Ｔ字状連結板      ５６  十字状連結板
Ｆ  床面
【図１】
0004655851.tif 000002
【図２】
0004655851.tif 000003
【図３】
0004655851.tif 000004
【図４】
0004655851.tif 000005
【図５】
0004655851.tif 000006
【図６】
0004655851.tif 000007
【図７】
0004655851.tif 000008
【図８】
0004655851.tif 000009
【図９】
0004655851.tif 000010
【図１０】
0004655851.tif 000011
【図１１】
0004655851.tif 000012
【図１２】
0004655851.tif 000013
【図１３】
0004655851.tif 000014
【図１４】
0004655851.tif 000015